(57)【要約】【課題】プロジェクターの使用終了時に、ユーザーがレンズカバーを閉じるのを忘れることをなくし、投写レンズを傷や汚れから保護することが可能なプロジェクターを提供することを目的とする。【解決手段】投写レンズ１９と、投写レンズ１９の投写側に開閉可能に備えられるシャッター２０と、前記シャッター２０の開閉状態を検出するカバー開閉検出部２１と、動作電力を供給する電源部２７と、前記動作電力の供給停止を指示するオフ操作を含む操作を入力させる入力操作部２２と、前記電源部２７に前記動作電力の供給と停止を指示する制御部１１と、を備えたプロジェクターであって、前記入力操作部２２においてオフ操作が入力され、かつ、前記カバー開閉検出部２１が前記シャッター２０の閉状態を検出した場合に、前記制御部１１が、前記電源部２７に前記動作電力の供給停止を指示する、ことを特徴とするプロジェクター。【選択図】図３
2012027055.tif 000002
【特許請求の範囲】
【請求項１】
投写レンズと、
前記投写レンズの投写側に開閉可能に備えられるレンズカバーと、
前記レンズカバーの開閉状態を検出する検出部と、
動作電力を供給する電源部と、
前記動作電力の供給停止を指示するオフ操作を含む操作を入力させる入力操作部と、
前記電源部に前記動作電力の供給と停止を指示する制御部と、
を備えたプロジェクターであって、
前記入力操作部において前記オフ操作が入力され、かつ、前記検出部が前記レンズカバーの閉状態を検出した場合に、前記制御部が、前記電源部に前記動作電力の供給停止を指示する、
ことを特徴とするプロジェクター。
【請求項２】
前記入力操作部において前記オフ操作が入力された時点から、予め設定されたレンズカバー操作待ち時間内に、前記検出部が前記レンズカバーの閉状態を検出しなかった場合に、入力された前記オフ操作が無効とされる、
ことを特徴とする請求項１に記載のプロジェクター。
【請求項３】
前記レンズカバー操作待ち時間内に、前記入力操作部において前記オフ操作以外の操作が入力された場合に、入力された前記オフ操作が無効とされる、
ことを特徴とする請求項２に記載のプロジェクター。
【請求項４】
前記入力操作部で前記オフ操作が入力されたことを通知する通知部を備える、
ことを特徴とする請求項１から３のいずれか一項に記載のプロジェクター。
【請求項５】
前記投写レンズを内部に収容する筐体と、前記筐体の内部を冷却する冷却部と、を備え、
前記入力操作部において前記オフ操作が入力され、かつ、前記検出部が前記レンズカバーの閉状態を検出した場合に、前記制御部は、予め設定された冷却時間を経過すると前記冷却部に冷却終了と、前記電源部に前記動作電力の供給停止と、を指示する、
ことを特徴とする請求項１から４のいずれか一項に記載のプロジェクター。
【請求項６】
前記投写レンズを内部に収容する筐体と、前記筐体の内部を冷却する冷却部と、前記筐体の内部の温度を検知する温度検知部と、を備え、
前記入力操作部において前記オフ操作が入力され、かつ、前記検出部が前記レンズカバーの閉状態を検出した場合であって、前記制御部は、予め設定された温度以下になったことを前記温度検知部が検知した場合に、前記冷却部に冷却終了と、前記電源部に前記動作電力の供給停止と、を指示する、
ことを特徴とする請求項１から４のいずれか一項に記載のプロジェクター。
【請求項７】
前記冷却の終了以前に前記検出部が前記レンズカバーの開状態を検出した場合に、入力された前記オフ操作が無効とされる、
ことを特徴とする請求項５または請求項６に記載のプロジェクター。
【請求項８】
前記冷却の終了以前に前記検出部が前記レンズカバーの開状態を検出した場合に、前記検出部が前記レンズカバーの閉状態を検出するまで前記冷却を継続する、
ことを特徴とする請求項５または請求項６に記載のプロジェクター。
【請求項９】
投写レンズと、
前記投写レンズの投写側に開閉可能に備えられるレンズカバーと、
前記レンズカバーの開閉状態を検出する検出部と、
動作電力を供給する電源部と、
前記動作電力の供給停止を指示するオフ操作を含む操作を入力させる入力操作部と、
前記電源部に前記動作電力の供給と停止を指示する制御部と、を備えたプロジェクターの制御方法であって、
前記入力操作部において前記オフ操作が入力されたことを確認するオフ操作入力確認工程と、
前記検出部が前記レンズカバーの閉状態を検出するレンズカバー閉状態検出工程と、
前記オフ操作が入力されたことが確認され、かつ、レンズカバーの閉状態が検出された場合に、前記制御部が、前記電源部に前記動作電力の供給停止を指示する電力停止工程と、を備えた、
ことを特徴とするプロジェクターの制御方法。
【発明の詳細な説明】
【技術分野】
【０００１】
本発明は、プロジェクター及びプロジェクターの制御方法に関する。
【背景技術】
【０００２】
従来、光源から射出された光を画像信号に応じて変調し、変調した光を投写することで画像を形成するプロジェクターが知られている。このようなプロジェクターは、投写レンズを備えており、投写レンズを用いて画像をスクリーン等に拡大投写可能に構成されている。
【０００３】
このプロジェクターに備える投写レンズは傷付きやすく汚れやすいため、プロジェクターを使用しない場合には、投写レンズを保護する必要がある。そのため、装置本体を内部に収納する筐体に、投写レンズを保護するレンズカバーをスライド自在に設けたプロジェクターが知られている。このプロジェクターでは、レンズカバーを閉じた際に、レンズカバーの発熱を抑えるため、液晶パネルの駆動状態を制御して黒画像を形成させている（特許文献１参照）。
【０００４】
また、別のプロジェクターとして、映像の投写を中断するためにレンズカバーを閉めることによって、レンズカバーが高温となり、変形してしまうことを防止するため、投写レンズの光路がレンズカバーで遮られたことを検出し、所定時間経過した後に、警告音を発し、プロジェクターの電源を自動でオフするものがある（特許文献２参照）。
【先行技術文献】
【特許文献】
【０００５】
【特許文献１】特開２００７−２４０５５１号公報
【特許文献２】特開２００９−４２６７７号公報
【発明の概要】
【発明が解決しようとする課題】
【０００６】
しかしながら、特許文献１に記載のプロジェクターでは、電源をオフする際にレンズカバーを閉じることは必ずしも必要でない。従って、電源オフの後、レンズカバーを閉じるのを忘れてしまうことがあり、その場合には、レンズカバーは開いたままの状態となる。そのため、投写レンズに傷や汚れがついてしまう虞がある。
【０００７】
また、特許文献２に記載のプロジェクターでは、ユーザーが映像の投写中にレンズカバーを閉じた後、カバーを開け忘れた場合に、レンズカバーの高温化を防止するために、電源を自動でオフするためものである。つまり、プロジェクターの使用が正常に終了した場合には、レンズカバーが開いたままの状態となる。そのため、投写レンズに傷や汚れがついてしまう虞がある。
【０００８】
そこで、本発明では、プロジェクターの使用終了時に、ユーザーがレンズカバーを閉じるのを忘れることなく、プロジェクターを使用しない状態において投写レンズを傷や汚れから保護することが可能なプロジェクターを提供することを目的とする。
【課題を解決するための手段】
【０００９】
本発明は、上述の課題を解決するためになされたものであり、以下の形態または適用例として実現することが可能である。
【００１０】
［適用例１］本適用例にかかるプロジェクターは、投写レンズと、前記投写レンズの投写側に開閉可能に備えられるレンズカバーと、前記レンズカバーの開閉状態を検出する検出部と、動作電力を供給する電源部と、前記動作電力の供給停止を指示するオフ操作を含む操作を入力させる入力操作部と、前記電源部に前記動作電力の供給と停止を指示する制御部と、を備えたプロジェクターであって、前記入力操作部において前記オフ操作が入力され、かつ、前記検出部が前記レンズカバーの閉状態を検出した場合に、前記制御部が、前記電源部に前記動作電力の供給停止を指示することを特徴とする。
【００１１】
上述の適用例によれば、電源部が動作電力の供給を停止するためには、入力操作部においてオフ操作が入力され、かつ、検出部においてレンズカバーの閉状態が検出される必要がある。すなわち、電源部が動作電力の供給を停止させる場合には、レンズカバーが閉じていなければならず、プロジェクターを使用しない状態においても確実に投写レンズを傷や汚れから保護することが可能となる。
【００１２】
［適用例２］上記適用例にかかるプロジェクターにおいて、前記入力操作部において前記オフ操作が入力された時点から、予め設定されたレンズカバー操作待ち時間内に、前記検出部が前記レンズカバーの閉状態を検出しなかった場合に、入力された前記オフ操作が無効とされることを特徴とする。
【００１３】
上述の適用例によれば、入力操作部においてオフ操作が入力された時点から予め設定されたレンズカバー操作待ち時間内に、検出部がレンズカバーの閉状態を検出しなかった場合に、入力操作部において入力されたオフ操作が無効とされる。入力操作部において入力されたオフ操作が無効とされることにより、検出部がレンズカバーの閉状態を検出しても、制御部が、電源部に動作電力の供給停止を指示しない。従って、プロジェクターの電源をオフするため、入力操作部においてオフ操作を入力したが、プロジェクターを継続して使用する事態が発生した場合や、間違えてオフ操作した場合に、改めて取り消しの操作を必要としないため、継続してプロジェクターを使用することが容易に可能となる。
さらに、オフ操作をしても、それだけでは電源が切れないことをユーザーが認識することができ、電源を切るには、レンズカバーを閉じることが必要であることをユーザーが認識することができる。なお、制御部が、電源部に動作電力の供給停止を指示するには、再度、入力操作部においてオフ操作が入力され、検出部がレンズカバーの閉状態を検出する必要がある。
【００１４】
［適用例３］上記適用例にかかるプロジェクターにおいて、前記レンズカバー操作待ち時間内に、前記入力操作部において前記オフ操作以外の操作が入力された場合に、入力された前記オフ操作が無効とされることが望ましい。
【００１５】
上述の適用例によれば、入力操作部においてオフ操作が入力された時点から予め設定されたレンズカバー操作待ち時間内に、入力操作部においてオフ操作以外の操作が入力された場合に入力操作部において入力されたオフ操作が無効とされる。入力操作部において入力されたオフ操作が無効とされることにより、検出部がレンズカバーの閉状態を検出しても、制御部が、電源部に動作電力の供給停止を指示しない。従って、間違えて操作した場合に、オフ操作以外の入力操作を行うことにより、容易にオフ動作をキャンセルすることが可能となる。なお、制御部が、電源部に動作電力の供給停止を指示するには、再度、入力操作部においてオフ操作が入力され、検出部がレンズカバーの閉状態を検出する必要がある。
【００１６】
［適用例４］上記適用例にかかるプロジェクターにおいて、前記入力操作部で前記オフ操作が入力されたことを通知する通知部を備えることが望ましい。
【００１７】
上述の適用例によれば、入力操作部でオフ操作が入力されたことを通知する通知部を備えることにより、ユーザーにレンズカバーを閉じる操作を通知することができる。これにより、ユーザーがレンズカバーを閉じることを認識させることができ、容易にユーザーにレンズカバーを閉じさせることができる。従って、プロジェクターを使用しない状態において投写レンズを傷や汚れから保護することが可能となる。
【００１８】
［適用例５］上記適用例にかかるプロジェクターにおいて、前記投写レンズを内部に収容する筐体と、前記筐体の内部を冷却する冷却部と、を備え、前記入力操作部において前記オフ操作が入力され、かつ、前記検出部が前記レンズカバーの閉状態を検出した場合に、前記制御部は、予め設定された冷却時間を経過すると前記冷却部に冷却終了と、前記電源部に前記動作電力の供給停止と、を指示することを特徴とする。
【００１９】
上述の適用例によれば、制御部は、予め設定された冷却時間を経過すると冷却部に冷却終了を指示し、電源部に動作電力の供給停止を指示することができる。筐体の内部の冷却を行うのは、冷却を行わず高温のまま放置した場合には、投写レンズ等の筐体に収納された部品を劣化させる虞があるためである。電源部が動作電力の供給を停止したときには、冷却部による予め設定された冷却時間の冷却が終了し、かつ、レンズカバーが閉じていることになる。従って、部品の劣化を防止し、かつ、プロジェクターを使用しない状態において投写レンズを傷や汚れから保護することが可能となる。
【００２０】
［適用例６］上記適用例にかかるプロジェクターにおいて、前記投写レンズを内部に収容する筐体と、前記筐体の内部を冷却する冷却部と、前記筐体の内部の温度を検知する温度検知部と、を備え、前記入力操作部において前記オフ操作が入力され、かつ、前記検出部が前記レンズカバーの閉状態を検出した場合であって、前記制御部は、予め設定された温度以下になったことを前記温度検知部が検知した場合に、前記冷却部に冷却終了と、前記電源部に前記動作電力の供給停止と、を指示することを特徴とする。
【００２１】
上述の適用例によれば、制御部は、予め設定された温度以下になったことを温度検知部が検知すると冷却部に冷却終了を指示し、電源部に動作電力の供給停止を指示することができる。筐体の内部の冷却を行うのは、冷却を行わず高温のまま放置した場合には、投写レンズ等の筐体に収納された部品を劣化させる虞があるためである。さらに、筐体の内部の温度で冷却終了の判断を行うことができるので、確実な冷却終了の判断を行うことができる。電源部が動作電力の供給を停止したときには、冷却部による予め設定された温度での冷却が終了し、かつ、レンズカバーが閉じていることになる。従って、部品の劣化を防止し、かつ、プロジェクターを使用しない状態において投写レンズを傷や汚れから保護することが可能となる。
【００２２】
［適用例７］上記適用例にかかるプロジェクターにおいて、前記冷却の終了以前に前記検出部が前記レンズカバーの開状態を検出した場合に、入力された前記オフ操作が無効とされることを特徴とする。
【００２３】
上述の適用例によれば、オフ操作が無効とされ、制御部が電源部に動作電力の供給停止を指示しないことにより、オフ操作による停止動作が完了していないことをユーザーに知らせることができる。従って、ユーザーにシャッターを閉じる操作を促すこととなり、シャッターを閉じるのを忘れることを防ぐことができ、プロジェクターを使用しない状態において投写レンズを傷や汚れから保護することが可能となる。
【００２４】
［適用例８］上記適用例にかかるプロジェクターにおいて、前記冷却の終了以前に前記検出部が前記レンズカバーの開状態を検出した場合に、前記検出部が前記レンズカバーの閉状態を検出するまで前記冷却を継続することを特徴とする。
【００２５】
上述の適用例によれば、検出部がレンズカバーの閉状態を検出するまで冷却を継続することにより、オフ操作による停止動作が完了していないことをユーザーに知らせることができる。従って、ユーザーにシャッターを閉じる操作を促すこととなり、プロジェクターを使用しない状態において投写レンズを傷や汚れから保護することが可能となる。
【００２６】
［適用例９］本適用例にかかるプロジェクターの制御方法は、投写レンズと、前記投写レンズの投写側に開閉可能に備えられるレンズカバーと、前記レンズカバーの開閉状態を検出する検出部と、動作電力を供給する電源部と、前記動作電力の供給停止を指示するオフ操作を含む操作を入力させる入力操作部と、前記電源部に前記動作電力の供給と停止を指示する制御部と、を備えたプロジェクターの制御方法であって、前記入力操作部において前記オフ操作が入力されたことを確認するオフ操作入力確認工程と、前記検出部が前記レンズカバーの閉状態を検出するレンズカバー閉状態検出工程と、前記オフ操作が入力されたことが確認され、かつ、レンズカバーの閉状態が検出された場合に、前記制御部が、前記電源部に前記動作電力の供給停止を指示する電力停止工程と、を備えたことを特徴とする。
【００２７】
上述の適用例によれば、オフ操作入力確認工程で、入力操作部においてオフ操作が入力されたことを確認し、レンズカバー閉状態検出工程で、検出部がレンズカバーの閉状態を検出する。オフ操作が入力されたことが確認され、かつ、レンズカバーの閉状態が検出された場合に、供給停止指示工程で、制御部が、電源部に動作電力の供給停止を指示する。すなわち、電源部が動作電力の供給を停止した場合には、レンズカバーが閉じていることになる。従って、プロジェクターを使用しない状態において投写レンズを傷や汚れから保護することが可能となる。
【図面の簡単な説明】
【００２８】
【図１】本発明の第一実施形態に係るプロジェクターの外観の概略図。
【図２】本発明の第一実施形態に係るプロジェクターの機能ブロック図。
【図３】本発明の第一実施形態に係るオフ操作時の処理フローを示すフローチャート。
【図４】本発明の第二実施形態に係るオフ操作時の処理フローを示すフローチャート。
【図５】本発明の第三実施形態に係るオフ操作時の処理フローを示すフローチャート。
【発明を実施するための形態】
【００２９】
（第一実施形態）
図１は、本発明の第一実施形態に係るプロジェクターの外観を示す図である。図１（ａ）に示すように、プロジェクター１０には、図示しない制御部、投写部、電源部等を収納した筐体３４が備えられている。筐体３４の上面には、ユーザーにプロジェクター１０の操作を入力させるためのキー操作部２４が備えられている。キー操作部２４には、電源ボタンや各種機能ボタン等が備えられている。また、筐体３４の前面３４ａには、開口部３４ｂが設けられており、投写レンズ１９が備えられている。さらに、開口部３４ｂを開閉可能なシャッター２０が備えられている。シャッター２０は、スライドすることで開口部３４ｂを開閉させる。筐体３４の前面３４ａには、リモコン受信部２５が備えられている。
【００３０】
シャッター２０は、レンズカバーとして機能する。図１（ａ）は、シャッター２０が開いた状態を示し、投写レンズ１９の投写側は開放されており、光をスクリーン（図示せず）に投写することで、画像が形成される。図１（ｂ）は、シャッター２０が閉じた状態を示し、投写レンズ１９の投写側はシャッター２０によって覆われており、投写レンズ１９が傷や汚れから保護されている。
【００３１】
図２は、本発明の第一実施形態に係るプロジェクター１０の構成を示すブロック図である。以下、詳細について説明する。
【００３２】
プロジェクター１０は、制御部１１、信号入力部１２、信号処理部１３、投写部１４、シャッター２０、カバー開閉検出部２１、入力操作部２２、リモコン受信部２５、電源部２７、記憶部２８、タイマー２９、冷却部３０、ＬＥＤ表示部３３、通信部３５等を備えている。
【００３３】
制御部１１は、記憶部２８に記憶されている制御プログラムにより動作し、プロジェクター１０の機能全体を制御する。制御部１１は、入力操作部２２におけるユーザーの操作に基づく制御信号を受信し、カバー開閉検出部２１におけるシャッター２０の開閉状態の検出信号を受信し、電源部２７にプロジェクター１０の各部への電源の供給と停止の指示信号を出力する。さらに、制御部１１は、タイマー２９へ計時を指示する。
【００３４】
カバー開閉検出部２１は、シャッター２０の開閉状態を検出し、開状態の検出信号または閉状態の検出信号を制御部１１へ出力する。
【００３５】
信号入力部１２は、画像信号入力端子を備え、外部機器より入力された画像信号を、画像信号入力端子を介して、信号処理部１３へ出力する。
【００３６】
信号処理部１３は、制御部１１の指示信号に基づき、入力された画像信号に信号処理を行い、ライトバルブ駆動部１５へ出力する。さらに、信号処理部１３は、制御部１１からの指示信号に従って、メニュー画像やメッセージ等の制御用画像信号を画像信号に重畳する。
【００３７】
投写部１４は、光源駆動部１７と、光源１８と、ライトバルブ駆動部１５と、液晶ライトバルブ１６と、投写レンズ１９と、を備えている。光源駆動部１７は、光源１８の点灯や消灯等の制御を行うための光源駆動回路を備え、制御部１１からの指示信号に従って光源１８を駆動する。光源１８は、高圧水銀ランプを備え、光を射出する。射出された光は液晶ライトバルブ１６の表示領域（図示せず）に入射する。
【００３８】
ライトバルブ駆動部１５は、ライトバルブ駆動回路を備え、信号処理部１３から出力された画像信号に基づいて、制御部１１の指示信号により液晶ライトバルブ１６を駆動し、画像信号に基づいた画像を液晶ライトバルブ１６の表示領域（図示せず）に形成する。
【００３９】
投写レンズ１９は、複数のレンズを備え、液晶ライトバルブ１６を透過した光をスクリーン（図示せず）に投写することで、画像を形成する。
【００４０】
なお、投写部１４は、入力操作部２２においてオフ操作を入力されたことをユーザーに通知する通知部としても機能する。
【００４１】
入力操作部２２は、キー操作部２４とキー入力処理部２３とを備えている。キー操作部２４は、電源ボタンや各種機能ボタン等の操作キーを備え、ユーザーからの指示を入力させるための入力手段である。ユーザーは、キー操作部２４を操作して制御部１１に指示する。キー入力処理部２３は、キー操作部２４における操作信号、またはリモコン２６から送信された信号を受信するリモコン受信部２５における受信信号に基づき、制御部１１へ制御信号を伝達する。
【００４２】
なお、リモコン２６は、電源ボタンや各種機能ボタン等の操作キーを備え、ユーザーの操作に基づく信号を、リモコン受信部２５へ無線送信し、プロジェクター１０を遠隔操作することができる。
【００４３】
冷却部３０は、冷却ファン制御部３１と冷却ファン３２とを備えている。冷却ファン制御部３１は、制御部１１の指示信号により、冷却ファン３２の回転の開始や停止、および回転数を制御する。冷却ファン３２は、冷却ファン制御部３１の制御により回転する。冷却ファン３２の回転により、筐体３４の外部から空気を吸気し、筐体３４の内部を冷却し、冷却後の空気を筐体３４の外部へ排気する。
【００４４】
電源部２７は、外部から供給された電源を変換し、プロジェクター１０の各部へ電力を供給する。また、電源部２７は、制御部１１の指示信号により、光を投写し画像を形成するのに必要な動作電力の各部への供給と停止を制御することができる。
【００４５】
記憶部２８は、ＲＯＭ２８ａ、ＲＡＭ２８ｂ等を備えている。記憶部２８は、プロジェクター１０を動作させるための制御プログラムを保持している。さらに、記憶部２８は、信号処理部１３で画像信号に重畳するためのメニュー画像やメッセージ等のデータ等を保持している。
【００４６】
タイマー２９は、制御部１１の指示により、オフ操作が入力されてからの経過時間を計時する。計時した時間を制御部１１へ出力する。
【００４７】
ＬＥＤ表示部３３は、１つあるいは複数のＬＥＤを備え、制御部１１からの指示信号に基づいて、ＬＥＤの点灯や消灯や点滅等の点灯状態を切り換えることができ、ユーザーに対してプロジェクター１０の動作状態を表示することができる。
【００４８】
通信部３５は、インターフェイス回路であり、外部の制御機器とネットワークを構成し、プロジェクター１０に対する制御信号等の送受信を可能にする。
【００４９】
本実施形態のプロジェクター１０においては、電源部２７に外部から電源が供給されると、電源部２７は、制御部１１と記憶部２８と入力操作部２２とリモコン受信部２５とＬＥＤ表示部３３と通信部３５とにユーザーの操作を入力させるのに必要な電力（待機電力）を供給する。
【００５０】
制御部１１は、記憶部２８で保持されている制御プログラムを読み出し、制御プログラムによる初期動作を行い、キー操作部２４やリモコン２６のオン操作の入力待ちとなり、オン操作を示す制御信号を受け取ると、電源部２７にプロジェクター１０の各部に、光を投写し画像を形成するのに必要な電力（動作電力）の供給の指示信号を出力する。電源部２７は、プロジェクター１０の各部に動作電力を供給する。
【００５１】
制御部１１は、光源駆動部１７に指示信号を出力し、光源１８を点灯させ、ライトバルブ駆動部１５に指示信号を出力し、液晶ライトバルブ１６を駆動させ、光を投写し画像の形成を開始する。さらに、冷却ファン制御部３１に指示信号を出力し、冷却ファン３２を駆動させ、冷却を開始する。
【００５２】
次に、図３を用いて、本発明の第一実施形態に係るプロジェクター１０の停止動作について説明する。図３は、本発明の第一実施形態に係るプロジェクター１０のオフ操作時の処理フローを示すフローチャートである。
【００５３】
オフ操作の入力確認（Ｓ１０１）において、制御部１１は、キー操作部２４の操作信号またはリモコン受信部２５の受信信号に基づいてキー入力処理部２３において処理され、出力された制御信号の内容確認を行う。制御信号の内容がオフ操作を示す場合には、Ｙｅｓと判断し、経過時間タイマー計時開始（Ｓ１０２）に移行する。
【００５４】
経過時間タイマー計時開始（Ｓ１０２）において、制御部１１は、タイマー２９に計時を開始させ、オフ操作が入力されてからの経過時間を計時する。
【００５５】
さらに、メッセージ表示（Ｓ１０３）において、制御部１１は、記憶部２８に保持されているメッセージデータを読み出し、信号処理部１３で画像信号に重畳させ、投写部１４で投写させる。メッセージデータは、例えば、「電源をオフするには、レンズシャッターを閉じてください。」のように表示させるものである。このメッセージデータに基づきメッセージを投写表示することにより、ユーザーに確実にシャッター２０を閉じることを認識させることができる。
【００５６】
レンズカバーの閉状態確認（Ｓ１０４）において、制御部１１は、カバー開閉検出部２１の検出信号に基づきシャッター２０の開閉状態を判断する。カバー開閉検出部２１からの検出信号が、シャッター２０の閉状態を示す場合には、閉（Ｙｅｓ）と判断し、光源消灯（Ｓ１０５）に移行する。
【００５７】
光源消灯（Ｓ１０５）において、制御部１１は、光源駆動部１７に指示信号を出力し光源１８の消灯を行う。次に、冷却終了（Ｓ１０６）において、制御部１１は、冷却ファン制御部３１に指示信号を出力し、駆動させていた冷却ファン３２を停止させる。次に、動作電力供給停止（Ｓ１０７）において、制御部１１は、電源部２７に指示信号を出力しプロジェクター１０各部の動作電力の供給を停止させる。
【００５８】
以上説明したように、本実施形態のプロジェクター１０によれば、以下の効果を得ることができる。
【００５９】
本実施形態のプロジェクター１０によれば、電源部２７が動作電力の供給を停止するためには、入力操作部２２においてオフ操作が入力され、かつ、カバー開閉検出部２１においてシャッター２０の閉状態が検出される必要がある。すなわち、電源部２７が動作電力の供給を停止した場合には、シャッター２０が閉じていることになる。従って、プロジェクター１０を使用しない状態において投写レンズ１９を傷や汚れから保護することが可能となる。
【００６０】
本実施形態のプロジェクター１０によれば、入力操作部２２でオフ操作が入力されたことを通知する投写部１４を備えることにより、ユーザーにシャッター２０を閉じる操作を通知することができる。これにより、ユーザーがシャッター２０を閉じることを認識させ、容易にユーザーにシャッター２０を閉じさせることができる。従って、プロジェクター１０を使用しない状態において投写レンズ１９を傷や汚れから保護することが可能となる。
【００６１】
次に、レンズカバーの閉状態確認（Ｓ１０４）において、制御部１１は、カバー開閉検出部２１からの検出信号がシャッター２０の開状態を示す場合には、開（Ｎｏ）と判断し、キー入力確認（Ｓ１０８）に移行する。
【００６２】
キー入力確認（Ｓ１０８）において、制御部１１は、キー入力処理部２３からの制御信号の有無を確認する。制御信号が有る場合には、Ｙｅｓと判断し、メッセージ消去（Ｓ１１０）へ移行する。
【００６３】
メッセージ消去（Ｓ１１０）において、制御部１１は、信号処理部１３でのメッセージデータの重畳を終了させ、メッセージを消去する。次に、経過時間タイマー計時停止（Ｓ１１１）において、制御部１１は、タイマー２９による経過時間の計時を停止させる。その後、オフ操作の入力確認（Ｓ１０１）に移行する。
【００６４】
これにより、オフ操作の入力確認（Ｓ１０１）における制御信号の内容がオフ操作である場合の処理フローから抜けることになり、オフ操作が無効とされる。オフ操作が無効とされることにより、検出部がレンズカバーの閉状態を検出しても、制御部が、電源部に動作電力の供給停止を指示しない。
【００６５】
キー入力確認（Ｓ１０８）において、制御部１１は、キー入力処理部２３からの制御信号が無い場合には、Ｎｏと判断し、待ち時間経過確認（Ｓ１０９）に移行する。
【００６６】
待ち時間経過確認（Ｓ１０９）において、制御部１１は、タイマー２９による計時時間に基づき、入力操作部においてオフ操作が入力されてから予め設定されたレンズカバー操作待ち時間（一例として１０秒）が経過したか否かを判断する。待ち時間が経過した場合には、Ｙｅｓと判断し、メッセージ消去（Ｓ１１０）に移行する。
【００６７】
メッセージ消去（Ｓ１１０）において、前述と同様に、制御部１１は、信号処理部１３でのメッセージデータの重畳を終了させ、メッセージを消去する。次に、経過時間タイマー計時停止（Ｓ１１１）において、制御部１１は、タイマー２９による経過時間の計時を停止させる。その後、オフ操作の入力確認（Ｓ１０１）に移行する。
【００６８】
これにより、オフ操作の入力確認（Ｓ１０１）における制御信号の内容がオフ操作である場合の処理フローから抜けることになり、オフ操作が無効とされる。オフ操作が無効とされることにより、検出部がレンズカバーの閉状態を検出しても、制御部が、電源部に動作電力の供給停止を指示しない。
【００６９】
待ち時間経過確認（Ｓ１０９）において、待ち時間が経過していない場合には、Ｎｏと判断し、レンズカバーの閉状態確認（Ｓ１０４）に移行する。
【００７０】
以上説明したように、本実施形態のプロジェクター１０によれば、前述の効果に加え以下の効果を得ることができる。
【００７１】
本実施形態のプロジェクター１０によれば、入力操作部２２においてオフ操作が入力された時点から予め設定されたレンズカバー操作待ち時間内に、カバー開閉検出部２１がシャッター２０の閉状態を検出しなかった場合に、入力操作部２２において入力されたオフ操作が無効とされる。入力操作部２２において入力されたオフ操作が無効とされることにより、カバー開閉検出部２１がレンズカバーの閉状態を検出しても、制御部１１が、電源部２７に動作電力の供給停止を指示しない。従って、プロジェクター１０の電源をオフするため、入力操作部２２においてオフ操作を入力したが、プロジェクターを継続して使用する事態が発生した場合や、間違えてオフ操作した場合に、取り消しの操作を必要としないため、容易に継続してプロジェクターを使用することが可能となる。さらに、オフ操作をしても、それだけでは電源が切れないことをユーザーに認識させることができ、電源が切るにはシャッター２０を閉じることが必要であることをユーザーに認識させることができる。
【００７２】
本実施形態のプロジェクター１０によれば、入力操作部２２においてオフ操作が入力された時点から予め設定されたレンズカバー操作待ち時間内に、入力操作部２２においてオフ操作以外の操作が入力された場合に、入力操作部２２において入力されたオフ操作が無効とされる。入力操作部２２において入力されたオフ操作が無効とされることにより、カバー開閉検出部２１がレンズカバーの閉状態を検出しても、制御部１１が、電源部２７に動作電力の供給停止を指示しない。従って、間違えて操作した場合に、オフ操作以外の入力操作によって、容易にオフ動作をキャンセルすることが可能となる。
【００７３】
（第二実施形態）
図４を用いて、本発明の第二本実施形態に係るプロジェクター１０の停止動作について説明する。図４は、本発明の第二本実施形態に係るプロジェクター１０のオフ操作時の処理フローを示すフローチャートである。光源消灯までの流れは、第一実施形態の停止動作を説明した図３における光源消灯（Ｓ１０５）までの流れと同様であるため、説明は省略する。
【００７４】
なお、本実施形態におけるタイマー２９は、オフ操作が入力されてからの経過時間を計時する以外に、光源消灯（Ｓ１０５）からの冷却時間を計時する。
【００７５】
光源消灯（Ｓ１０５）において、制御部１１は、光源駆動部１７に指示信号を出力し、光源１８の消灯を行う。次に、冷却時間タイマー計時開始（Ｓ２０１）において、制御部１１は、タイマー２９による計時を開始させ、光源１８を消灯してからの冷却時間を計時する。
【００７６】
レンズカバーの閉状態確認（Ｓ２０２）において、制御部１１は、カバー開閉検出部２１の検出信号に基づきシャッター２０の開閉状態を判断する。カバー開閉検出部２１からの検出信号が、シャッター２０の閉状態を示す場合には、閉（Ｙｅｓ）と判断し、冷却時間経過確認（Ｓ２０３）に移行する。
【００７７】
冷却時間経過確認（Ｓ２０３）において、制御部１１は、タイマー２９による計時時間に基づき、光源消灯（Ｓ１０５）から予め設定された冷却時間（一例として１分）が経過したか否かを判断する。冷却時間が経過した場合には、Ｙｅｓと判断し、冷却終了（Ｓ１０６）に移行する。
【００７８】
冷却終了（Ｓ１０６）において、制御部１１は、冷却ファン制御部３１に指示信号を出力し冷却ファン３２を停止する。次に、動作電力供給停止（Ｓ１０７）において、制御部１１は、電源部２７に指示信号を出力しプロジェクター１０各部の動作電力の供給を停止する。
【００７９】
冷却時間経過確認（Ｓ２０３）において、制御部１１は、冷却時間が経過していない場合には、Ｎｏと判断し、レンズカバーの閉状態確認（Ｓ２０２）に移行する。
【００８０】
レンズカバーの閉状態確認（Ｓ２０２）において、制御部１１は、カバー開閉検出部２１からの検出信号が、シャッター２０の開状態を示す場合には、開（Ｎｏ）と判断し、ＬＥＤ点灯（Ｓ２０４）に移行する。
【００８１】
ＬＥＤ点灯（Ｓ２０４）において、制御部１１は、ＬＥＤ表示部３３のＬＥＤを点灯させ、ユーザーに対して、冷却の終了以前にシャッター２０を開いたためオフ操作を無効にした旨の警告を行う。次に、光源点灯（Ｓ２０５）において、制御部１１は、光源駆動部１７に指示信号を出力し、光源１８を点灯させる。冷却時間タイマー計時停止（Ｓ２０６）において、制御部１１は、タイマー２９による冷却時間の計時を停止させる。さらに、メッセージ消去（Ｓ１１０）に移行する。
【００８２】
これにより、オフ操作の入力確認（Ｓ１０１）において、制御信号の内容がオフ操作である場合の処理フローから抜けることになり、オフ操作が無効とされる。オフ操作が無効とされることにより、制御部１１が、電源部２７に動作電力の供給停止を指示しない。
【００８３】
なお、点灯しているＬＥＤ表示部３３は、ユーザーが何らかの操作を行うと、消灯する。
【００８４】
使用終了時に、暫くの時間、冷却が必要なプロジェクター１０がある。このようなプロジェクター１０において、入力操作部２２においてオフ操作が入力され、かつ、カバー開閉検出部２１においてシャッター２０の閉状態が検出された場合に、直ちに、電源部２７が動作電力の供給を停止すると使用上問題が発生することが考えられる。筐体３４の内部の冷却を行わず高温のまま放置することになるため、筐体３４に収納された投写レンズ１９等の部品を劣化させる虞がある。
【００８５】
このようなプロジェクター１０では、タイマー２９による計時時間が予め設定された冷却時間を経過すると、制御部１１の指示により電源部２７は動作電力の供給を停止する構成とする。これにより、電源部２７が動作電力の供給を停止した場合でも、予め設定された冷却時間の冷却を継続した後に終了し、かつ、シャッター２０が閉じていることになる。従って、プロジェクター１０を使用しない状態において投写レンズ１９を傷や汚れから保護することが可能となる。
【００８６】
使用終了時に、冷却が必要なプロジェクターの場合には、冷却の終了以前にユーザーがシャッター２０を開いてしまうことが考えられるが、本実施形態のプロジェクター１０では、ＬＥＤ表示部３３のＬＥＤを点灯することにより、ユーザーに対して、冷却の終了以前にシャッター２０を開いたためオフ操作を無効にした旨の警告することができる。さらに、光源１８の再点灯を行い、動作電力の供給停止を行わないことにより、オフ操作による停止動作が完了していないことをユーザーに知らせることができる。これにより、ユーザーにシャッター２０を閉じる操作を促すこととなり、シャッター２０を閉じるのを忘れることを防ぐことが可能である。従って、プロジェクター１０を使用しない状態において投写レンズ１９を傷や汚れから保護することが可能となる。
【００８７】
本実施形態においては、タイマー２９が予め設定された冷却時間を経過すると制御部１１が筐体３４の内部の冷却を終了する形態とした。しかし、筐体３４の内部にサーミスター等の温度検知部を設け、予め設定された温度以下になったことを温度検知部が検知するまで制御部１１が冷却を行う形態でもよい。この形態の場合には、制御部１１は、タイマー２９の時間による冷却終了の判断を行うのではなく、筐体３４の内部の温度で冷却終了の判断を行うことができるので、確実な冷却終了の判断を行うことができる。
【００８８】
なお、本実施形態においては、ＬＥＤ表示部３３を使用して警告を行ったが、スピーカーを設け、音により警告を行ってもよい。
【００８９】
（第三実施形態）
図５を用いて、本発明の第三実施形態に係るプロジェクター１０の停止動作について説明する。図５は、本発明の第三実施形態に係るプロジェクター１０のオフ操作時の処理フローを示すフローチャートである。レンズカバーの閉状態確認までの流れは、第二実施形態の停止動作を説明した図４におけるレンズカバーの閉状態確認（Ｓ２０２）までの流れと同様であるため、説明は省略する。
【００９０】
レンズカバーの閉状態確認（Ｓ２０２）において、制御部１１は、カバー開閉検出部２１からの検出信号が、シャッター２０の開状態を示す場合には、開（Ｎｏ）と判断し、再びレンズカバーの閉状態確認（Ｓ２０２）を実行する。
【００９１】
レンズカバーの閉状態確認（Ｓ２０２）において、制御部１１は、カバー開閉検出部２１からの検出信号が、シャッター２０の閉状態を示す場合には、閉（Ｙｅｓ）と判断し、冷却時間経過確認（Ｓ２０３）に移行する。
【００９２】
冷却時間経過確認以後の流れは、前記第二実施形態の停止動作を説明した図４における冷却時間経過確認（Ｓ２０３）以降の流れと同様であるため、説明は省略する。
【００９３】
使用終了時に、冷却が必要なプロジェクターの場合には、冷却の終了以前にユーザーがシャッター２０を開いてしまうことが考えられるが、本実施形態のプロジェクター１０では、冷却中にシャッター２０を開いたとしても、シャッター２０を閉じるまで、冷却を継続し、動作電力の供給を継続する。冷却を終了させ、動作電力の供給を停止するには、シャッター２０を閉じることが必要である。ユーザーにシャッター２０を閉じさせることにより、プロジェクター１０を使用しない状態において投写レンズ１９を傷や汚れから保護することが可能となる。
【００９４】
（変形例）
本発明は、上述した各実施形態に限定されるものではなく、その要旨を逸脱しない範囲において種々の様態において実施することが可能である。
【００９５】
上述の各実施形態においては、レンズカバーとして、スライドすることで開口部３４ｂを開閉させるシャッター２０を用いたが、投写レンズ１９に装着する方式ものであってもよい。投写レンズの光路を遮り、投写レンズを保護するものであれば、どのような形態のものでもよい。
【００９６】
上述の各実施形態においては、カバー開閉検出部２１として、シャッター２０の開閉状態を検出し、開状態の検出信号または閉状態の検出信号を出力するとした。これに対しスイッチ等の接触型の検出手段または光学センサーや磁気センサー等の被接触型の検出手段を用いて、開閉状態を検出させ、検出信号を出力する形態であってもよい。また、開閉状態を検出するのではなく、センサー等によりシャッター２０の位置情報を得て、位置情報により開閉状態を判断し、検出信号を出力する形態であってもよい。
【００９７】
なお、投写レンズ１９に装着する方式のレンズカバーを用いる場合には、スイッチ等の接触型の検出手段または光学センサーや磁気センサー等の被接触型の検出手段を、レンズカバーを装着する投写レンズ１９の近傍に設け、レンズカバーの開閉を検出手段に検出させる形態となる。検出手段を設ける場所は、投写レンズ１９に設けてもよく、筐体３４に設けてもよく、投写レンズ１９の近傍で、レンズカバーの開閉を検出可能な場所に設けられていればよい。
【００９８】
上述の各実施形態においては、通知部として投写部１４を使用し、投写による表示により通知を行ったが、通知部としてスピーカーを設け、音声により通知を行ってもよい。また、ＬＥＤ表示部３３を通知部として使用し、ＬＥＤの点灯により通知してもよい。また、これらを組み合わせてもよい。
【００９９】
上述の各実施形態においては、光源１８を高圧水銀ランプとしたが、メタルハライドランプ等の他の放電型ランプやＬＥＤ光源やレーザー光源であってもよい。また、前記各実施形態においては、透過式液晶ライトバルブ１６を用いた方式を記載したが、透過式液晶ライトバルブではなく、反射式液晶ライトバルブやデジタル・マイクロ・ミラーやＬＣＯＤやＧＬＶやＣＲＴを用いてもよい。投写レンズ１９を使用するプロジェクターならどのような形態のものでもよい。
【０１００】
上述の各実施形態においては、冷却部３０として、冷却ファン制御部３１と冷却ファン３２を使用したが、筐体内部に流体の流路を設け、ポンプ等により流体を循環させることにより冷却させてもよい。
【０１０１】
第二実施形態及び第三実施形態においては、レンズカバーの開状態確認（Ｓ２０２）において閉（Ｙｅｓ）と判断した場合に、冷却時間経過確認（Ｓ２０３）に移行する形態としたが、冷却時間経過確認（Ｓ２０３）の判断を先に行い、冷却時間が経過した場合に、レンズカバーの開状態確認（Ｓ２０２）の判断を行う形態であってもよい。
【符号の説明】
【０１０２】
１０…プロジェクター、１１…制御部、１７…光源駆動部、１８…光源、１９…投写レンズ、２０…シャッター、２１…カバー開閉検出部、２２…入力操作部、２４…キー操作部、２５…リモコン受信部、２７…電源部、３０…冷却部、３４…筐体。
【図１】
2012027055.tif 000003
【図２】
2012027055.tif 000004
【図３】
2012027055.tif 000005
【図４】
2012027055.tif 000006
【図５】
2012027055.tif 000007